(57)【要約】【課題】欠け歯等を有するワークをブローチ加工するポットブローチにおいて、隣接するブローチ刃の切れ刃の角部１６の干渉を避け、欠け等の損傷を防ぐ。【解決手段】内周縁３から半径方向に形成された複数の溝４を有するドーナツ形の分割ホルダ２を長手方向に多数組付け、各溝にブローチ刃５を装着して一体としたポットブローチ１において、各溝の第一の溝４ｃに嵌挿される第一のブローチ刃５ｃが固定部材６で固定しない状態では長手方向及び半径方向に移動可能とする。第一の溝に隣接する第二の溝４ｄに嵌挿される第二のブローチ刃５ｄが固定部材で固定しない状態で長手方向に移動可能であるが、第一のブローチ刃の刃部１２ｃと過干渉することがないように半径方向内方には移動できないようにし、かつ第一及び第二のブローチ刃で一体となる刃部１２ｃ、１２ｄを形成する。複数刃の場合はさらに、交互に周方向に配置する。【選択図】        図１
2015044247.tif 000002
【特許請求の範囲】
【請求項１】
内周縁から半径方向に形成された複数の溝を有するドーナツ形の分割ホルダを長手方向に多数組付け、各溝にブローチ刃を装着して一体のポットブローチとした組立式の外形加工用ポットブローチにおいて、
前記各溝の第一の溝は前記第一の溝に嵌挿される第一のブローチ刃が固定部材で固定しない状態では長手方向及び半径方向に移動可能であり、前記第一の溝に隣接する第二の溝は前記第二の溝に嵌挿される第二のブローチ刃が固定部材で固定しない状態で長手方向に移動可能であるが、第一のブローチ刃の刃部と過干渉することがないように半径方向内方には移動できないようにされ、かつ前記第一及び第二のブローチ刃で一体となる刃部が形成されていることを特徴とするポットブローチ。
【請求項２】
請求項１記載の前記第一の溝を挟んで、第三の溝が設けられ、前記第三の溝は前記第三の溝に嵌挿される第三のブローチ刃が固定部材で固定しない状態では長手方向に移動可能であるが、第一のブローチ刃の刃部と過干渉することがないように半径方向内方には移動できないようにされ、かつ前記第一及び第二及び第三のブローチ刃で一体となる刃部が形成されていることを特徴とする請求項１に記載のポットブローチ。
【請求項３】
前記第三の溝に隣接して第四の溝が設けられ、前記第四の溝は前記第四の溝に嵌挿される第四のブローチ刃が固定部材で固定しない状態では長手方向及び半径方向に移動可能にされ、前記第三のブローチ刃が固定部材で固定しない状態で長手方向に移動可能であるが、前記第三のブローチ刃の刃部と過干渉することがないように半径方向内方には移動できないようにされ、かつ前記第一及び第二及び第三及び第四のブローチ刃で一体となる刃部が形成されていることを特徴とする請求項２に記載のポットブローチ。
【請求項４】
請求項１記載の前記第二の溝を挟んで、第五の溝が設けられ、前記第五の溝は前記第五の溝に嵌挿される第五のブローチ刃が固定部材で固定しない状態では長手方向及び半径方向に移動可能にされ、前記第二のブローチ刃が固定部材で固定しない状態で長手方向に移動可能であるが、前記第五のブローチ刃の刃部と過干渉することがないように半径方向内方には移動できないようにされ、かつ前記第一及び第二及び第五のブローチ刃で一体となる刃部が形成されていることを特徴とする請求項１に記載のポットブローチ。
【請求項５】
前記第一乃至第四の溝及びブローチ刃の何れか一以上が複数組設けられていることを特徴とする請求項１又は２又は３又は４に記載のポットブローチ。
【発明の詳細な説明】
【技術分野】
【０００１】
本発明は、複数枚の分割ホルダを長手方向に組付けて一体のポットブローチとした組立式の外形加工用ポットブローチに関する。
【背景技術】
【０００２】
従来、リング状の複数枚の分割ホルダを長手方向に組付けたポットブローチは、図２に示すように、内周縁３から半径方向に形成された複数の溝４を有するドーナツ形の分割ホルダ２を長手方向に多数組付け、各溝４に長手方向に多数の切れ刃１２を有するブローチ刃５を装着して一体のポットブローチ５１としている。かかるポットブローチ５１においては、各溝４にブローチ刃５を嵌挿し、各溝背面側からボルト等の固定部材６によりブローチ刃５をホルダ２に固定する。しかし、ブローチ刃５をホルダ２の溝４に嵌挿するにあたり、長手方向が上下となる縦置きでの組付けは、ブローチ刃５の径方向への移動が少なく比較的容易である。しかし、長手方向が横となる横置きの場合は、上側溝４のブローチ刃５は脱落し易いので作業が困難である。そこで、特許文献１においては、溝４の周方向面に凹又は凸状の係合部８を長手方向に設ける。この凹又は凸状の係合部８に嵌合する凸又は凹状の嵌合部９をブローチ刃５の側面に設ける。これにより、ブローチ刃５の溝４内での半径方向への移動を規制している。なお、ブローチ刃５は互いに離隔して取り付けられている。
【０００３】
また、特許文献２においては、ワークとの芯出し精度を高めるため、加工するワークの大径に当接するガイドプレートをブローチ刃の周方向間に配設し、ガイドプレートの案内面を調整できるようにしている。このガイドプレートはブローチ刃の側面と近接又は当接している。この場合もブローチ刃は互いに接触することはない。
【０００４】
しかし、ワークの形状によっては、ブローチ刃の基体部を互いに接触させ加工する場合もある。例えば、図３（ａ）に示すように、特許文献３のＦＩＧ．６のポットブローチ５２では、ワーク３０の外周３１と干渉しない外側位置で、ブローチ刃５の側面５５が互いに接触するように配置している。また、図３（ｂ）に示すように、ＦＩＧ．７のポットブローチ５３においては、ブローチ刃５が符号５６で示すように、互いに接触又は近接するように配置してワーク外周歯３２を切れ刃１２によりブローチ切削加工している。
【先行技術文献】
【特許文献】
【０００５】
【特許文献１】実開平２−０１９４２７号公報
【特許文献２】特開２００７−２１００４８号公報
【特許文献３】特開昭６１−０５６８１７号公報
【発明の概要】
【発明が解決しようとする課題】
【０００６】
しかし、特許文献３のＦＩＧ．７（図３（ｂ））においては、詳細については記載されていないが、ワーク３０の外周３１に対応した切れ刃を設けると、隣り合うブローチ刃の切れ刃が互いに干渉し欠けを生じるおそれがある。特に角部５６は破損しやすいまた、ワークの外周３１は旋盤加工等の加工で充分であり、ブローチ加工による加工は必須ではない。このため、ワークの外周３１は位置決め等に用いブローチ刃５の切れ刃１２では切削しない場合が一般である。ブローチ刃５では歯底面及び歯側面３２の加工を行う。従って、外周３１に対応する切れ刃は設けないのが一般である。
【０００７】
しかし、近年、等配分の歯車でなく、図４に示すように、ワーク谷径がつながった欠け歯（歯底）３４を有するワーク３０が増えてきている。この場合は、旋盤等で加工できる外周３１とは異なり、欠け歯（歯底）３４はブローチ刃５の切れ刃１２で加工する必要がある。この欠け歯３４を加工するためには複数のブローチ刃５、５を用いる。欠け歯形状を複数のブローチ刃で加工するに際しては、ブローチ刃５の切れ刃１２を隙間無く配置する必要がある。しかし、切れ刃１２を隙間無く配置すると、当然にブローチ刃５を径方向へ移動すると隣接するブローチ刃の切れ刃１２の隣接部５７が干渉し、刃欠け等を生じるという問題があった。
【０００８】
そこで、特許文献１のように、凸又は凹状の嵌合部８，９を設けてブローチ刃５の半径方向の移動を規制すればよい。しかし、かかる規制をすると高精度加工が必要である。さらには、微調整が困難であるという問題があった。本発明の課題は、かかる問題点に鑑みて、欠け歯を有するワークの欠け歯（底歯）の加工あるいは外周加工を複数のブローチ刃で行う場合に、隣接するブローチ刃の干渉を避け、切れ刃の欠け等の損傷を防ぐことである。
【課題を解決するための手段】
【０００９】
本発明においては、内周縁から半径方向に形成された複数の溝を有するドーナツ形の分割ホルダを長手方向に多数組付け、各溝にブローチ刃を装着して一体のポットブローチとした組立式の外形加工用ポットブローチにおいて、前記各溝の第一の溝は前記第一の溝に嵌挿される第一のブローチ刃が固定部材で固定しない状態では長手方向及び半径方向に移動可能であり、前記第一の溝に隣接する第二の溝は前記第二の溝に嵌挿される第二のブローチ刃が固定部材で固定しない状態で長手方向に移動可能であるが、第一のブローチ刃の刃部と過干渉することがないように半径方向内方には移動できないようにされ、かつ前記第一及び第二のブローチ刃で一体となる刃部が形成されているポットブローチを提供することにより前述した課題を解決した。
【００１０】
即ち、ワークの歯底等の切り欠き部を複数のブローチ刃で加工するに際し、ブローチ刃の一方を半径方向内方に移動させないようにして、隣接するブローチ刃との過干渉を避けるようにした。干渉はないことが望ましいが、隣接するブローチ刃は近接すればするほど切削面が良好となるので、破損等しない程度に接触してもよい。
【００１１】
また、請求項２に記載の発明は、複数のブローチ刃が３個の場合であり、前記第一の溝を挟んで、第三の溝が設けられ、前記第三の溝は前記第三の溝に嵌挿される第三のブローチ刃が固定部材で固定しない状態では長手方向に移動可能であるが、第一のブローチ刃の刃部と過干渉することがないように半径方向内方には移動できないようにされ、かつ前記第一及び第二及び第三のブローチ刃で一体となる刃部が形成されているポットブローチとした。
【００１２】
さらに、請求項３に記載の発明は、複数のブローチ刃が４個の場合であり、前記第三の溝に隣接して第四の溝が設けられ、前記第四の溝は前記第四の溝に嵌挿される第四のブローチ刃が固定部材で固定しない状態では長手方向及び半径方向に移動可能にされ、前記第三のブローチ刃が固定部材で固定しない状態で長手方向に移動可能であるが、前記第三のブローチ刃の刃部と過干渉することがないように半径方向内方には移動できないようにされ、かつ前記第一及び第二及び第三及び第四のブローチ刃で一体となる刃部が形成されているポットブローチとした。
【００１３】
また、請求項２に記載の発明においては、第一の溝を挟んで両側に第二第三の溝を設けたが、逆でもよい。そこで、請求項４に記載の発明においては、前記第二の溝を挟んで、第五の溝が設けられ、前記第五の溝は前記第五の溝に嵌挿される第五のブローチ刃が固定部材で固定しない状態では長手方向及び半径方向に移動可能にされ、前記第二のブローチ刃が固定部材で固定しない状態で長手方向に移動可能であるが、前記第五のブローチ刃の刃部と過干渉することがないように半径方向内方には移動できないようにされ、かつ前記第一及び第二及び第五のブローチ刃で一体となる刃部が形成されているポットブローチを提供する。
【００１４】
このように、複数のブローチ刃は、半径方向に移動できるブローチ刃と半径方向内方への移動を規制されたブローチ刃とを交互に配置すればよい。そこで、請求項５に記載の発明においては、前記第一乃至第四の溝及びブローチ刃の何れか一以上が複数組設けられているポットブローチとした。
【発明の効果】
【００１５】
本発明においては、欠け歯等のワークの歯底等の切り欠き部を複数のブローチ刃で加工するに際し、隣接するブローチ刃の一方を半径方向移動可能（移動可能ブローチ刃）とし、他方のブローチ刃を半径方向内方に移動させないよう（規制ブローチ刃）にして、隣接するブローチ刃の隣接部同士の過干渉を避けるようにしたので、切れ刃が干渉して損傷することがない。また、組立、分解時での干渉や作業不備によるブローチ刃のぶつかり等も避けられ組付け分解が容易なものとなった。ブローチ刃が３個以上となる場合は、移動可能ブローチ刃と規制ブローチ刃とを交互に設けることで、容易に干渉を避け、ブローチ刃の損傷をなくすものとなった。
【図面の簡単な説明】
【００１６】
【図１】本発明の実施の形態を示すポットブローチ及びワークの横断面図である。である。
【図２】従来のストッパを有するポットブローチの横断面図である。
【図３】従来のポットブローチ及びワークの横断面図である。
【図４】欠け歯を有するポットブローチ及びワークの説明図（部分横断面図）である。
【発明を実施するための形態】
【００１７】
本発明の実施の形態について図面を参照して説明する。なお、前述した従来と同様な部分については同符号を付し、説明の一部又は全部を省略する。また、組立式の外形加工用ポットブローチの全体構造等については従来と同様であるので説明を省略する。図１に示すように、ポットブローチ１は内周縁３から半径方向に形成された複数の溝４（４ａ〜４ｋ）を有するドーナツ形の分割ホルダ２長手方向（図で見て垂直方向）に多数組付けられる。各溝４にそれぞれブローチ刃５（５ａ〜５ｋ）を装着され、ボルト等の固定部材６で各溝に固定される。また、分割ホルダ２の位相を合わせる為のキー３８及びキー溝３９が外周面に３箇所設けられている。また、分割ホルダを長手方向で挟持固定するボルト通し穴４０が３箇所設けられている。
【００１８】
本実施の形態のワーク３０は自動車用リングギヤを例としたものである。ワーク３０は外周面３１が円筒の中空円筒状である。ワーク３０の外周面３１に歯、不等分割歯、欠け歯等をブローチ加工し、自動車用リングギヤを製造する。図１では、内周面３７に加工がされているが加工されていないものでもよいことはいうまでもない。
【００１９】
分割ホルダ２の内周縁３はワーク３０の外周３１とは微少隙間が設けられている。また、図１の左下に示すように、内周縁３の一部はさらに外側の内周縁３ａを有し、特許文献２と同様に、内周縁３ａにテーパ状のガイドプレート７がボルト１８で分割ホルダ２に固定されている。ガイドプレート７の先端７ａはワークの外周面３１と接触（当接）し、ブローチ刃５とワーク３０との芯出しを行う。
【００２０】
従来と同様の単独歯あるいは等分割歯３２等は、例えば図１の右側中央部に示すようにブローチ刃５ａの切れ刃１２ａにより加工される。ブローチ刃５ａは、対応する溝４ａに嵌挿され、ボルト６で固定される。また、欠け歯であっても、１枚のブローチ刃で加工できる欠け歯３３は、同様にブローチ刃５ｂの切れ刃１２ｂにより加工される。ブローチ刃５ｂは、対応する溝４ｂに嵌挿され、ボルト６で固定される。かかる構造は従来のものと同様である。
【００２１】
１枚のブローチ刃の切れ刃では加工できず２枚のブローチ刃で加工される欠け歯３４の場合、図１の右下側に示すように、２個（枚）のブローチ刃５ｃ、５ｄの切れ刃１２ｃ、１２ｄで加工できる欠け歯３４は、周方向に幅広の第一のブローチ刃５ｃと幅狭の第二のブローチ刃５ｄにより加工される。第一のブローチ刃５ｃは、対応する第一の溝４ｃに嵌挿され、ボルト６で固定される。第一のブローチ刃５ｃはボルト６で固定しない状態では長手方向及び半径方向に移動可能である。第二のブローチ刃５ｄは、第一の溝４ｃに隣接して対応する第二の溝４ｄに嵌挿され、ボルト６で固定される。
【００２２】
第二の溝４ｄには、側面に凸部８ｄが長手方向に設けられている。また、第二のブローチ刃５ｄの側面には、凹溝９ｄが設けられている。凹溝９ｄと凸部８ｄが互いに嵌合する。凹溝９ｄの外側肩部１１ｄと、凸部８ｄの内側肩部１０ｄとが接触した位置で第一のブローチ刃５ｃの刃部１２ｃと第二のブローチ刃５ｄの刃部１２ｄの互いの角部１６が過干渉あるいは接触しないようにされている。これにより、第一の溝４ｃに隣接する第二の溝４ｄは第二の溝に嵌挿される第二のブローチ刃５ｄが固定部材で固定しない状態で長手方向に移動可能であるが、第一のブローチ刃５ｃの刃部１２ｃと過干渉又は接触することがないように半径方向内方には移動できないようにされている。
【００２３】
これにより、ワーク３０の歯底等の切り欠き部（欠け歯）３４を複数のブローチ刃５ｃ、５ｄで加工するに際し、ブローチ刃の一方を半径方向内方に移動させないようにして、隣接するブローチ刃の切れ刃の角部１６での過干渉又は干渉を避ける。
【００２４】
次に、３個（枚）のブローチ刃で加工される欠け歯３５の場合について説明する。なお、前述したと同様な部分については同番号（数字）に対応するサブ符号（英小文字）をつけて説明の一部又は全部を省略する。図１の左上に示すように、３枚のブローチ刃で加工できる欠け歯３５は、周方向にやや幅狭の第一のブローチ刃５ｅと両側に配置したやや幅広の第二のブローチ刃５ｆ、第三のブローチ刃５ｇにより加工される。第一のブローチ刃５eは、符号５ｃと同様に、対応する第一の溝４ｅに嵌挿され、ボルト６で固定される。前述したと同様に、第一のブローチ刃５ｅはボルト６で固定しない状態では長手方向及び半径方向に移動可能である。同様に、第二のブローチ刃５ｆは、第一の溝４ｅに隣接して対応する第二の溝４ｆに嵌挿され、ボルト６で固定される。
【００２５】
第三のブローチ刃５ｇは、第一の溝４ｅの第二の溝４ｆとは反対側に隣接して対応する第三の溝４ｇに嵌挿され、ボルト６で固定される。第三の溝４ｇには、第二の溝と同様に、側面に凸部８ｇが長手方向に設けられている。また、第三のブローチ刃５ｇの側面には、凹溝９ｇが設けられている。凹溝９ｇと凸部８ｇが互いに嵌合する。凹溝９ｇの外側肩部１１ｇと、凸部８ｇの内側肩部１０ｇとが接触した位置で第一のブローチ刃５ｅの刃部１２ｅと第三のブローチ刃５ｇの刃部１２ｇの互いの角部１６が過干渉あるいは接触しないようにされている。これにより、第一の溝４ｅに隣接する第二、第三の溝４ｆ、４ｇは第二、第三の溝に嵌挿される第二、第三のブローチ刃５ｆ、５ｇが固定部材で固定しない状態で長手方向に移動可能であるが、第二、第三の切れ刃１２ｆ、１２ｇが第一のブローチ刃５ｅの刃部１２ｅと角部１６，１６で過干渉又は接触することがないように半径方向内方には移動できないようにされている。
【００２６】
さらに、４個（枚）のブローチ刃で加工される欠け歯３６の場合について説明する。前述したと同様な部分については同番号（数字）に対応するサブ符号（英小文字）をつけて説明の一部又は全部を省略する。図１の右上に示すように、４枚のブローチ刃５の切れ刃１２で加工できる欠け歯３６は、周方向にやや幅狭の第一のブローチ刃５ｈと両側に配置したやや幅広の第二のブローチ刃５ｉ、第三のブローチ刃５ｊにより加工される。前述したと同様に、第一の溝４ｈに隣接する第二、第三の溝４ｉ、４ｊは第二、第三の溝に嵌挿される第二、第三のブローチ刃５ｉ、５ｊが固定部材で固定しない状態で長手方向に移動可能であるが、第一のブローチ刃５ｈの刃部１２ｈと互いに角部１６で過干渉又は接触することがないように半径方向内方には移動できないようにされている。
【００２７】
第三の溝４ｊに隣接して、第四の溝４ｋが設けられ、第四の溝４ｋに嵌挿される第四のブローチ刃５ｋがボルト６で固定しない状態では長手方向及び半径方向に移動可能にされ、第三のブローチ刃５ｊがボルト６で固定されていない状態で長手方向に移動可能であるが、第四のブローチ刃５ｋの刃部１２ｋとの互いの角部１６で過干渉することがないように半径方向内方には移動できないようにされている。
【００２８】
かかるポットブローチ１の組立においては、組付け状態での刃部の損傷の他に、組付け時にブローチ刃同士をぶつけたりする虞があり、二人作業としたり、治具を作成する等が必要である。しかし、組付けにあたっては、まず、第一、第四のブローチ刃（移動可能ブローチ刃）５ｃ、５ｅ、５ｈ、５ｋを先に固定し、次に第二又は第三のブローチ刃（規制ブローチ刃）５ｄ、５ｆ、５ｇ、５ｉを組付けることによりかかる問題を解消できる。また、分解時は、まず、第二又は第三のブローチ刃５ｄ、５ｆ、５ｇ、５ｉを先に取り外し、次に第一、第四のブローチ刃５ｃ、５ｅ、５ｈ、５ｋを取り外すようにすればよい。
【００２９】
このように、本発明の実施の形態によれば、欠け歯の長さに応じて分割して設けられたブローチ刃の干渉を避け、ブローチ刃の刃部の損傷を防ぎ、取扱がし易いものとなった。また、移動可能ブローチ刃（第一、第四のブローチ刃５ｃ、５ｅ、５ｈ、５ｋ）と、規制ブローチ刃（第二又は第三のブローチ刃５ｄ、５ｆ、５ｇ、５ｉ）を交互に配置すればよく、種々の歯形形状に対応できるものとなった。なお、実施の形態においては、請求項１乃至３の例を記載したが、請求項４に関しては、規制ブローチ刃を中心にして両側に移動可能ブローチ刃を配置することにより実現できることはいうまでもない。また、ブローチ刃、ガイドプレートの位置合わせ及び固定はボルトにより行うが、位置調整はカラー、シム、スプリングワッシャ等の各種座金、バネ等適宜選択調整すればよい。また、固定方法はこれに限るものではない。
【符号の説明】
【００３０】
１    ポットブローチ
２    分割ホルダ
３    内周縁
４    溝、第五の溝
４ｃ、４ｅ、４ｈ  第一の溝
４ｄ、４ｆ、４ｉ  第二の溝
４ｇ、４ｊ  第三の溝
４ｋ  第四の溝
５    ブローチ刃、第五のブローチ刃
５ｃ、５ｅ、５ｈ  第一のブローチ刃
５ｄ、５ｆ、５ｉ  第二のブローチ刃
５ｇ、５ｊ  第三のブローチ刃
５ｋ  第四のブローチ刃
６    固定部材（ボルト）
１２  刃部、第五のブローチ刃の刃部
１２ｃ、１２ｅ、１２ｈ  第一のブローチ刃の刃部
１２ｄ、１２ｆ、１２ｉ  第二のブローチ刃の刃部
１２ｇ、１２ｊ  第三のブローチ刃の刃部
１２ｋ  第四のブローチ刃の刃部
１６  角部
【図１】
2015044247.tif 000003
【図２】
2015044247.tif 000004
【図３】
2015044247.tif 000005
【図４】
2015044247.tif 000006